(57)【要約】【課題】面積が広く、製作がし易く、パッケージの強度低下を生じさせないパッケージ型コンプレッサの空気吸入口構造を提供する。【解決手段】内部に圧縮機やそのコントロール部を収納するパッケージの前面板３や後面板４の側面板５，６との当接部位に凹部１がそれぞれ形成され、この凹部１には貫通孔２が形成される。この貫通孔２は、底面板１ｂと垂直面板１ｃとに跨がるようにして連通状態で形成される。【選択図】図１
2009270533.tif 000002
【特許請求の範囲】
【請求項１】
前面板と後面板とその間に架設される両側面板とで囲まれ、内部に圧縮機やそのコントロール部を収納してなるパッケージ型コンプレッサの空気吸入口構造であって、該空気吸入口構造は、前記前面板及び後面板の前記側面板との当接部位に形成される凹部の底面板及びこれから立ち上る垂直面板の一部に貫通形成される貫通孔からなることを特徴とするパッケージ型コンプレッサの空気吸入口構造。
【請求項２】
前記貫通孔が小貫通孔の多数個の貫通孔群からなることを特徴とする請求項１に記載のパッケージ型コンプレッサの空気吸入口構造。
【発明の詳細な説明】
【技術分野】
【０００１】
本発明は、四面を囲む密閉の箱体内に、圧縮機とそのコントロール部を収納してなるパッケージ型コンプレッサの空気吸入口構造に係り、特に、コンパクトにまとめられると共に吸入面積の広いパッケージ型コンプレッサの空気吸入口構造に関する。
【背景技術】
【０００２】
コンプレッサとしては、四面を囲むパッケージ型のものが比較的広く使用されている。このパッケージ型コンプレッサは、内部に圧縮機やそのコントロール部を収納しているため、パッケージ側に形成される空気吸入口から外気を内部に吸引する必要があり、かつ用済の空気を外気側に排出する必要がある。このため、パッケージ側には空気吸入口や空気排出口が形成される。
この空気吸入口の構造としては各種のものがあるが、例えば「特許文献１」や「特許文献２」等が挙げられる。
【特許文献１】特開２００７−２３９７３３（図１）
【特許文献２】特開平６−１２９３８３（図１）
【発明の開示】
【発明が解決しようとする課題】
【０００３】
「特許文献１」の「特開２００７−２３９７３３」の「携帯可能な空気／ガスコンプレッサー」は、圧縮機等やコントロール部が箱体内に収納されているパッケージ型のものであるが、その空気吸入口は図示のように箱体の一面に貫通形成されるフィン状のものからなる。このフィン状の空気吸入口は一般的の構造であり、特別の機能を有するものではない。
一方、「特許文献２」の「特開平６−１２９３８３」の「パッケージ型気体圧縮機」も、防音箱（１）内に圧縮機等を収納するものであるが、その空気吸入口は一面に開放形成されたものであり、特別な構造や機能を有するものではない。
【０００４】
空気吸入口としては、前記のように特別な工夫をしていないものが多いが、その望ましい形態としては、空気吸入口としての十分な面積を有すると共に、パッケージ全体に対する空気吸入口の占める面積割合が小さく、パッケージの強度低下が生じないものであり、かつ製作し易いことが挙げられる。
【０００５】
本発明は、以上の事情に鑑みて発明されたものであり、空気吸入口としての十分な機能を有し、そのパッケージにおける面積割合が小さく、パッケージの強度低下が少なく、製作性もよいパッケージ型コンプレッサの空気吸入口構造を提供することを目的とする。
【課題を解決するための手段】
【０００６】
本発明は、以上の目的を達成するために、請求項１の発明は、前面板と後面板とその間に架設される両側面板とで囲まれ、内部に圧縮機やそのコントロール部を収納してなるパッケージ型コンプレッサの空気吸入口構造であって、該空気吸入口構造は、前記前面板及び後面板の前記側面板との当接部位に形成される凹部の底面板及びこれから立ち上る垂直面板の一部に貫通形成される貫通孔からなることを特徴とする。
【０００７】
また、請求項２の発明は、前記貫通孔が小貫通孔の多数個の貫通孔群からなることを特徴とする。
【発明の効果】
【０００８】
本発明の請求項１のパッケージ型コンプレッサの空気吸入口構造によれば、空気吸入口はパッケージの前面板及び後面板の両隅の凹部に形成され、かつ凹部の底面と垂直面にわたって貫通形成されるものからなるため、十分な吸入面積を有すると共に凹部のパッケージに占める面積も小さく、凹部による箱体としての強度低下も少なく、かつその貫通形成はパンチング等によって容易に製作し得る効果を奏する。
【０００９】
また、本発明の請求項２のパッケージ型コンプレッサの空気吸入口構造によれば、空気吸入口は貫通孔群からなり、十分な吸入面積を確保することができる。
【発明を実施するための最良の形態】
【００１０】
以下、本発明に係るパッケージ型コンプレッサの空気吸入口構造の実施形態を図面を参照して詳述する。図３は、本発明の空気吸入口が形成されているパッケージ型コンプレッサのパッケージの外観構造を示す図（ａ，ｂ，ｃ，ｄよりなる）であり、図１は図３のＡ−Ａ線拡大断面図、図２は図１のＢ矢視の縮小正面図である。
【実施例１】
【００１１】
図３（ａ）はパッケージの正面図であり、図３（ｂ）はその右側面図、図３（ｃ）は図３（ａ）の上面図、図３（ｄ）は背面図である。
図３において、パッケージ１００は前面板３と、後面板４と、この両板間に架設される側面板５、６とによって密閉箱体状に形成され、この内部に圧縮機やそのコントロール部等（図略）が収納されるものからなる。
【００１２】
図３（ａ）に示すように、前面板３と側面板５、６とが当接する部位に凹部１がそれぞれ形成され、前面側の上部には操作パネル７が設けられている。また、図３（ｂ）に示す側面板６（左右側面でほぼ同一形状）は、フラットの板状のものからなる。また、図３（ｃ）のように、上面には空気排出口８、９（フィルタを有する）が設けられている。更に、図３（ｄ）に示すように、背面には後面板４が設けられ、この後面板４と前記側面板５、６とが当接する部位に凹部１がそれぞれ形成されている。
【００１３】
図１に示すように、凹部１は側面板５（側面板６側も同じ）に固定されるフランジ部１ａと、このフランジ部１ａから略直角に曲げられた底面板１ｂと、この底面板１ｂから略直角に曲げられて立ち上る垂直面板１ｃとからなり、当該垂直面板１ｃが略直角に曲げられて前面板３の表面に連通するものからなる。
【００１４】
図１、２に示す貫通孔２は、前記凹部１の底面板１ｂと垂直面板１ｃとに夫々貫通形成された貫通孔２ａ、２ｂからなり、この貫通孔２ａと貫通孔２ｂとは連通して形成されている。また、底面板１ｂに対して貫通孔２ａの占める面積、及び垂直面板１ｃに対して貫通孔２ｂの占める面積は、底面板１ｂ及び垂直面板１ｃの強度低下はほとんど生じない程度の広い面積とする。即ち、凹部１に貫通孔２を形成する場合、通常は貫通孔２の全体を底面板１ｂにのみ形成するのが普通である。この場合は、底面板１ｂの幅が狭いため貫通孔２を広面積に形成することは難しい。本発明では、底面板１ｂ側に貫通孔２ａを形成するだけでなく、垂直面板１ｃ側にも貫通孔２ｂを形成して、両方の貫通孔をつなげて連通状態にする。これにより、貫通孔２の総面積は貫通孔２ａと貫通孔２ｂとをプラスした広面積のものとなる。また、この貫通孔２ａ，２ｂは通常のプレス加工（パンチングプレス加工）によって容易に打ち抜き形成することができる。
【実施例２】
【００１５】
図１は、貫通孔２の断面形状についての実施形態を示したものであるが、この貫通孔２は図２に示すように貫通孔群２００として多数個形成される。なお、図２では貫通孔群２００の夫々の貫通孔２は同一形態の四角状のものからなるが、勿論、これに限定するものではない。この貫通孔群２００は、貫通孔２を前面板３や後面板４の上から下に向かって形成したものからなり、原則的に同一ピッチで並べられているが、勿論それに限定するものではない。
【００１６】
以上の貫通孔２によって空気吸入口を形成することにより、外気はこの貫通孔２を介してパッケージ１００の内部に吸入され、内部の圧縮機（図略）に吸引されると共にパッケージ１００の冷却を行なう。パッケージ１００内で用済となった空気は、前記空気排出口８、９から外部に排出される。
【００１７】
以上のように、本発明の空気吸入口の形成により、パッケージ１００内に十分に空気が吸入されると共に、この空気吸入口の形成は前記のようにプレス加工によって容易にでき、比較的低コストで実施できる。また、貫通孔２ａ、２ｂを形成しても凹部１の剛性の低下は小さいため、パッケージ１００の全体剛性の低下を抑えることができる。
【００１８】
本発明は、以上の説明の内容のものからなるが、その説明の内容に限定するものではなく、同一の技術的範疇のものに適用できることは勿論である。
【産業上の利用可能性】
【００１９】
本発明は、パッケージ型コンプレッサのすべてに適用が可能であり、その利用範囲は広い。また、コンプレッサに限定されず、空気吸入を必要とするパッケージに対しても適用することができ、その利用範囲は極めて広い。
【図面の簡単な説明】
【００２０】
【図１】本発明に係る空気吸入口が形成されるパッケージ凹部の詳細構造を示す一部拡大断面図である。
【図２】貫通孔群を示す部分正面図である。
【図３】本発明の空気吸入口が形成されているパッケージ型コンプレッサのパッケージを示すもので、（ａ）はパッケージの正面図、（ｂ）はその右側面図、（ｃ）は上面図、（ｄ）は背面図である。
【符号の説明】
【００２１】
１    凹部
２    貫通孔
２ａ  貫通孔
２ｂ  貫通孔
３    前面板
４    後面板
５    側面板
６    側面板
７    操作パネル
８    吸気排出口
９    吸気排出口
【図１】
2009270533.tif 000003
【図２】
2009270533.tif 000004
【図３】
2009270533.tif 000005